(57)【特許請求の範囲】
【請求項１】
ベースプレートに一体成形されたコネクタホルダに、コネクタの挿入方向奥側に単段ターミナル配列のコネクタの高さ寸法に対応した第一のコネクタ保持部を形成すると共に、その手前側に二段ターミナル配列のコネクタの高さ寸法に対応した第二のコネクタ保持部を形成し、これら第一及び第二の各コネクタ保持部に対し、コネクタの左右方向の動きを規制する左右規制部と、嵌合したコネクタの掛止爪を掛止せしめる係合孔とを個別に設け、しかも、これら左右規制部と係合孔を含む第一及び第二の各コネクタ保持部の形状をコネクタホルダの中心線を軸に１８０゜回転しても同じ形状となるような対称形状としたことを特徴とするワイヤハーネス用コネクタの固定構造。
【請求項２】
ベースプレートがスイッチ用オープニングカバーであることを特徴とする請求項１に記載のワイヤハーネス用コネクタの固定構造。
【発明の詳細な説明】
【０００１】
【発明の属する技術分野】
本発明は、ワイヤハーネス用コネクタの固定構造に関するものである。
【０００２】
【従来の技術】
一般的に、工場で生産された標準装備のみの自動車では、オーディオやフォグランプ、リヤワイパなどの電気機器類が購入者の希望に応じて追加装備されることになるため、これらの電気機器類のスイッチをインストルメントパネルに追加設置し得るようにしておく必要がある。
【０００３】
このため、従来におけるインストルメントパネルには、各種の追加装備される電気機器類のスイッチが配置されるべき箇所に取付孔を予め形成しておき、この取付孔にスイッチ用オープニングカバーを嵌合して閉塞するようにしている。
【０００４】
そして、前記取付孔にスイッチを後から設置した際に、該スイッチに対しコネクタを介して接続するべきワイヤハーネスを予めインストルメントパネル内に配索しておき、そのワイヤハーネスをテーピングによりインストルメントパネル内の適正な場所に固定しておくようにしていた。
【０００５】
【発明が解決しようとする課題】
しかしながら、斯かる従来手段においては、ワイヤハーネスがテーピングにより固定されている一方で、コネクタ自体は何ら固定されずに自由に動ける状態となっていたため、自動車の振動でコネクタがインストルメントパネルの裏面に衝突して異音や破損を生じるという問題があった。
【０００６】
また、ワイヤハーネスをインストルメントパネル内の適正な場所にテープで止めていく作業に手間がかかるため、このようなテーピングの作業の省略化が望まれているという事情もある。
【０００７】
本発明は上述の実情に鑑みてなしたもので、自動車に追加装備される電気機器類のスイッチに対して接続すべきワイヤハーネスのコネクタをインストルメントパネル内の適正な場所に嵌合して安定固定することを目的としている。
【０００８】
【課題を解決するための手段】
本発明は、ベースプレートに一体成形されたコネクタホルダに、コネクタの挿入方向奥側に単段ターミナル配列のコネクタの高さ寸法に対応した第一のコネクタ保持部を形成すると共に、その手前側に二段ターミナル配列のコネクタの高さ寸法に対応した第二のコネクタ保持部を形成し、これら第一及び第二の各コネクタ保持部に対し、コネクタの左右方向の動きを規制する左右規制部と、嵌合したコネクタの掛止爪を掛止せしめる係合孔とを個別に設け、しかも、これら左右規制部と係合孔を含む第一及び第二の各コネクタ保持部の形状をコネクタホルダの中心線を軸に１８０゜回転しても同じ形状となるような対称形状としたことを特徴とするワイヤハーネス用コネクタの固定構造、に係るものである。
【０００９】
従って、本発明では、適正な場所にベースプレートを固定配置しておき、該ベースプレートに一体成形されたコネクタホルダに対し、ワイヤハーネスのコネクタを挿入して第一及び第二の各コネクタ保持部の何れかに嵌合させると、該コネクタ保持部の左右規制部によりコネクタの左右の動きが規制されると共に、該コネクタの掛止爪が係合孔に掛止されてコネクタがコネクタホルダから抜脱しないよう保持されるので、ワイヤハーネスをテーピングしなくてもコネクタ自体を安定固定することが可能となる。
【００１０】
また、ワイヤハーネスのコネクタを挿入して第一及び第二の各コネクタ保持部の何れかに嵌合させるに際し、当該コネクタが単段ターミナル配列のコネクタ保持部である場合には、コネクタホルダの奥側に形成した第一のコネクタ保持部に嵌合し、当該コネクタが二段ターミナル配列のコネクタ保持部である場合には、コネクタホルダの手前側に形成した第二のコネクタ保持部に嵌合すれば良いので、固定すべきコネクタのターミナル配列が単段タイプでも二段タイプでも対応することが可能である。
しかも、本発明においては、左右規制部と係合孔を含む第一及び第二の各コネクタ保持部の形状をコネクタホルダの中心線を軸に１８０゜回転しても同じ形状となるような対称形状としているので、第一及び第二の各コネクタ保持部に対しコネクタの天地が逆であっても支障なく嵌合させることが可能である。
【００１１】
尚、第一及び第二の各コネクタ保持部に対し個別に設けられる左右規制部は、必ずしもコネクタの左右両端面に沿い摺接するようなガイド面などとして形成する必要はなく、例えばコネクタの上下端面に誤組防止対策などとして該コネクタの挿入方向に向け形成されている突条や溝などを利用し、これらに対応した溝（スリット）や突条（突起）などを第一及び第二の各コネクタ保持部の上下位置に形成しておけば良いので、幅寸法が異なる複数種類のコネクタについて左右方向の動きを規制することが可能である。
【００１２】
更には、第一のコネクタ保持部における係合孔の直後に、第二のコネクタ保持部の係合孔を大きめに開口しておくことにより、奥側の第一のコネクタ保持部に嵌合したコネクタの掛止爪の解除作業を、手前側の第二のコネクタ保持部の係合孔から簡便に行うことが可能である。
【００１３】
また、本発明においては、ベースプレートがスイッチ用オープニングカバーであることが好ましく、このようにすれば、スイッチ用オープニングカバーを室内側から取り外すだけで直ちにコネクタ及びワイヤハーネスがインストルメントパネル内から引き出されるので、各種の追加装備される電気機器類のスイッチに対しワイヤハーネスを簡単に接続することが可能となる。
【００１４】
また、例えばベースプレートをインストルメントパネルとして該インストルメントパネルの裏面にコネクタホルダを一体成形する場合と比較して、型構造が小さく且つ簡素なもので済むので、製作コストを低く抑えることが可能となる。
【００１５】
【発明の実施の形態】
以下本発明の実施の形態を図面を参照しつつ説明する。
【００１６】
図１〜図１３は本発明を実施する形態の一例を示すもので、図１〜図７に示す如く、インストルメントパネル１に開口した取付孔２（図１参照）に嵌合し得るようにしたスイッチ用オープニングカバー３の裏面に、その背面を開放した箱型を成すコネクタホルダ４が一体成形されており、該コネクタホルダ４における左右方向（図１における矢印Ａが示す方向）の両側面には、前記取付孔２にスイッチ用オープニングカバー３を嵌合して固定させるための膨出部５が、その基端部を除く周縁部（図２参照）をコネクタホルダ４の左右両端面から切り離されて適宜に内側へ弾性変位し得るように設けられている。
【００１７】
前記コネクタホルダ４の内部には、図８に示す如き単段ターミナル配列としたワイヤハーネス６’用コネクタ６の高さ寸法ｘに対応した第一のコネクタ保持部７が、前記コネクタ６の挿入方向（図１における矢印Ｂが示す方向）の奥側に形成されていると共に、図９に示す如き二段ターミナル配列としたワイヤハーネス８’用コネクタ８の高さ寸法ｙに対応した第二のコネクタ保持部９が、前記コネクタ８の挿入方向（図１における矢印Ｂが示す方向）の手前側に形成されている。
【００１８】
より具体的には、前記コネクタホルダ４の奥側における上下両面の所要範囲が矩形状に窪んで、この部分が単段ターミナル配列のコネクタ６の高さ寸法ｘに対応した高さ寸法となるように狭められ、しかも、その高さ寸法を狭められた部分の左右両側に当該コネクタ６の幅寸法より若干大きな幅寸法を隔てて副側壁１０が夫々形成されて前記第一のコネクタ保持部７が形成されるようにしてある。
【００１９】
そして、前記各副側壁１０の内側面には、単段ターミナル配列のコネクタ６の左右方向の動きを規制する左右規制部として、当該コネクタ６の挿入方向に延びる突条１１が張り出し形成されており、両突条１１により前記コネクタ６の左右両側面が挾持されるようになっている（図１０参照）。
【００２０】
更に、図示する例においては、第一のコネクタ保持部７の上下方向（図３における矢印Ｃが示す方向）の両面に、単段ターミナル配列のコネクタ６の上面両側に誤組を防止する目的で設けられている突条１２を案内し得るようスリット１３（特に図１参照）が形成されており、このスリット１３も左右規制部として機能することになる。
【００２１】
第一のコネクタ保持部７の上下両面における各スリット１３に挟まれた位置には、嵌合した単段ターミナル配列のコネクタ６の掛止爪１４を掛止せしめるための係合孔１５（特に図１参照）が開口されている。
【００２２】
ここで、単段ターミナル配列のコネクタ６の掛止爪１４は、図１１の断面図に示すように、コネクタ６の前端側を基点として後端側を弾性変位により傾動し得るようにしたレバー部１６の途中に形成されており、このレバー部１６の自由端をドライバの先などで押し下げて掛止爪１４を前記係合孔１５から解除し得るようにしてある。
【００２３】
尚左右規制部としては突条１１、スリット１３の他副側壁１０を適宜寸法としてガイド面とすることにより設定しても良い。
【００２４】
また、前述した第一のコネクタ保持部７の手前側には、上下両面の所要範囲を前記第一のコネクタ保持部７の上下両面より浅く窪ませて成る第二のコネクタ保持部９が形成されており、該コネクタ保持部９の上下一方の面から他方の面までの高さ寸法がほぼ二段ターミナル配列のコネクタ８の高さ寸法ｙとなるようにしてある。
【００２５】
ここで、前記上下の面の夫々には突条１７が設けられ、該突条１７は、第二のコネクタ保持部９に嵌合した二段ターミナル配列のコネクタ８の左右方向の動きを規制する左右規制部として、前記コネクタ保持部９の上下両面について前後一対で形成したものであり、これら各突条１７に対しては、前記コネクタ８の上面に形成された溝１８が係合されるようになっている。
【００２６】
即ち、図１３の断面図に示すように、二段ターミナル配列のコネクタ８の掛止爪１９も、先の単段ターミナル配列のコネクタ６と同様に、コネクタ８の前端側を基点として後端側を弾性変位により傾動し得るようにしたレバー部２０の途中に形成されているので、このレバー部２０を傾動可能に分離形成している一方の溝１８が前記各突条１７に対して係合されるようになっている。
【００２７】
ここで、図９及び図１２に示されている例では、二段ターミナル配列のコネクタ８の他方の溝２１が該コネクタ８の前面まで貫通していないが、これは両方の溝１８，２１がコネクタ８の前面まで貫通している別の種類のものと区別する目的で採用している形状であり、少くとも図示例のように必ずコネクタ８の前面まで貫通している側の溝１８に対して係合するように各突条１７を形成しておけば、どちらの種類のコネクタ８に対しても対応することが可能である。
【００２８】
また、第二のコネクタ保持部９の上下面には、嵌合した二段ターミナル配列のコネクタ８の掛止爪１９を掛止せしめるための係合孔２２（特に図１参照）が開口されており、この係合孔２２を図示のように大きめに開口しておけば、奥側の第一のコネクタ保持部７に嵌合したコネクタ６の掛止爪１４の解除作業を、手前側の第二のコネクタ保持部９の係合孔２２からドライバを差し入れてレバー部１６の自由端を押し下げることにより簡便に行うことが可能である。
【００２９】
一方、二段ターミナル配列のコネクタ８の掛止爪１９を係合孔２２から解除するに際しては、図１２に示す如く、コネクタホルダ４の背面より後方へコネクタ８の後部が張り出すようにすれば、手でレバー部２０の自由端を直接摘んで簡単に押し下げることが可能である。
【００３０】
また、左右規制部としては副側壁２３を適宜寸法としてガイド面とすることにより設定しても良い。
【００３１】
尚、前述した第一及び第二の各コネクタ保持部７，９の形状は、コネクタホルダ４の中心線Ｏを軸に１８０゜回転しても同じ形状となるような対称形状としてあり、このようにしておけば、第一及び第二の各コネクタ保持部７，９に対しコネクタ６，８の天地が逆であっても支障なく嵌合させることが可能である。
【００３２】
而して、インストルメントパネル１の取付孔２に嵌合固定したスイッチ用オープニングカバー３裏面のコネクタホルダ４に対し、単段ターミナル配列のコネクタ６を挿入すると、該コネクタ６は、奥側の第一のコネクタ保持部７に嵌合されることになり、該コネクタ保持部７の各副側壁１０の突条１１により前記コネクタ６の両側面が挾持される一方、コネクタ保持部７上面の各スリット１３に対し前記コネクタ６上面両側の各突条１２が案内されて当該コネクタ６の左右の動きが規制され、しかも、このコネクタ６の掛止爪１４が係合孔１５に掛止されて当該コネクタ６がコネクタホルダ４から抜脱しないよう保持される。
【００３３】
また、前記コネクタホルダ４に対し、二段ターミナル配列のコネクタ８を挿入すると、該コネクタ８は、前記各副側壁１０の後端及び第一のコネクタ保持部７の上下両面の後端が成す段差に突き当たる位置まで挿入されて手前側の第二のコネクタ保持部９に嵌合されることになり、該コネクタ保持部９上面の前後一対の突条１７が、前記コネクタ８のレバー部２０を傾動可能に分離形成している一方の溝１８に対し係合されて当該コネクタ８の左右の動きが規制され、しかも、このコネクタ８の掛止爪１９が係合孔２２に掛止されて当該コネクタ８がコネクタホルダ４から抜脱しないよう保持される。
【００３４】
即ち、ワイヤハーネス６’，８’のコネクタ６，８を挿入して第一及び第二の各コネクタ保持部７，９の何れかに嵌合させるに際し、当該コネクタが単段ターミナル配列のコネクタ６である場合には、コネクタホルダ４の奥側に形成した第一のコネクタ保持部７に嵌合し、当該コネクタが二段ターミナル配列のコネクタ８である場合には、コネクタホルダ４の手前側に形成した第二のコネクタ保持部９に嵌合すれば良いので、固定すべきコネクタのターミナル配列が単段タイプでも二段タイプでも対応することが可能である。
しかも、左右規制部を成す突条１１、スリット１３、突条１７と係合孔１５，２２を含む第一及び第二の各コネクタ保持部７，９の形状をコネクタホルダ４の中心線Ｏを軸に１８０゜回転しても同じ形状となるような対称形状としているので、第一及び第二の各コネクタ保持部７，９に対しコネクタ６，８の天地が逆であっても支障なく嵌合させることが可能である。
【００３５】
尚、図示する例において、第一のコネクタ保持部７の各副側壁１０の突条１１により単段ターミナル配列のコネクタ６の両側面を挾持するようにした構成によれば、該コネクタ６の両側面を線接触で案内し且つ挾持することができるので、例えばコネクタ６の左右両端面を副側壁１０に沿い摺接するようなガイド面とした場合より前記コネクタ６を挿入し易くなり、制作時の精度管理も緩和されるという利点がある。
【００３６】
また、第二のコネクタ保持部９上面（下面でも可）の前後一対の突条１７を二段ターミナル配列のコネクタ８上面の一方の溝１８に対し係合させるようにした構成によれば、例えばコネクタ８の左右両端面を副側壁２３に沿い摺接するようにした場合に保持されるコネクタが１つに限定されるのに対し、当該コネクタ８の幅寸法に関係なく左右の動きを規制することが可能となるので、二段ターミナル配列のコネクタ８における幅寸法の異なる複数種類について対応することが可能となるという利点がある。
【００３７】
従って、上記形態例によれば、自動車に追加装備される電気機器類のスイッチに対して接続すべきワイヤハーネス６’，８’のコネクタ６，８を、そのターミナル配列が単段及び二段の何れであっても、また、その天地が逆であっても、インストルメントパネル１の取付孔２に嵌合したスイッチ用オープニングカバー３裏面のコネクタホルダ４に対し嵌合して安定固定することができるので、自動車の振動でコネクタ６，８がインストルメントパネル１の裏面に衝突して異音や破損を生じる虞れを未然に回避することができる。
【００３８】
また、ワイヤハーネス６’，８’をテーピングするという手間のかかる作業を省略して、コネクタホルダ４に対しコネクタ６，８を嵌合させるだけで作業を完了することができるので、組み付け時における作業員の労力負担を大幅に軽減することができる。
【００３９】
更に、特に本形態例においては、スイッチ用オープニングカバー３を室内側から取り外すだけで直ちにコネクタ６，８及びワイヤハーネス６’，８’をインストルメントパネル１内から引き出すことができるので、各種の追加装備される電気機器類のスイッチに対しワイヤハーネス６’，８’を簡単に接続することができ、作業性を大幅に向上することができる。
【００４０】
しかも、例えばコネクタホルダ４のベースプレートをインストルメントパネル１として該インストルメントパネル１の裏面にコネクタホルダ４を一体成形する場合と比較して、本形態例のように前記ベースプレートをスイッチ用オープニングカバー３とした方が型構造が小さく且つ簡素なもので済むので、製作コストを低く抑えることができる。
【００４１】
尚、本発明のワイヤハーネス用コネクタの固定構造は、上述の形態例にのみ限定されるものではなく、ベースプレートをインストルメントパネルとして該インストルメントパネルの裏面にコネクタホルダを一体成形するようにしても良いこと、また、必要に応じて三段以上のターミナル配列のコネクタの高さ寸法に対応した第三のコネクタ保持部を増設することも可能であること、その他、本発明の要旨を逸脱しない範囲内において種々変更を加え得ることは勿論である。
【００４２】
【発明の効果】
上記した本発明のワイヤハーネス用コネクタの固定構造によれば、下記の如き種々の優れた効果を奏し得る。
【００４３】
（Ｉ）本発明の請求項１に記載の発明によれば、自動車に追加装備される電気機器類のスイッチに対して接続すべきワイヤハーネスのコネクタを、そのターミナル配列が単段及び二段の何れであっても、また、その天地が逆であっても、インストルメントパネル内の適正な場所に嵌合して安定固定することができるので、自動車の振動でコネクタがインストルメントパネルの裏面に衝突して異音や破損を生じる虞れを未然に回避することができる。
【００４４】
（ＩＩ）本発明の請求項１に記載の発明によれば、ワイヤハーネスをテーピングするという手間のかかる作業を省略して、コネクタホルダに対しコネクタを嵌合させるだけで作業を完了することができるので、組み付け時における作業員の労力負担を大幅に軽減することができる。
【００４５】
（ＩＩＩ）本発明の請求項２に記載の発明によれば、スイッチ用オープニングカバーを室内側から取り外すだけで直ちにコネクタ及びワイヤハーネスをインストルメントパネル内から引き出すことができるので、各種の追加装備される電気機器類のスイッチに対しワイヤハーネスを簡単に接続することができ、作業性を大幅に向上することができる。
【００４６】
（ＩＶ）本発明の請求項２に記載の発明によれば、例えばベースプレートをインストルメントパネルとして該インストルメントパネルの裏面にコネクタホルダを一体成形する場合と比較して、型構造が小さく且つ簡素なもので済むので、製作コストを低く抑えることができる。
【図面の簡単な説明】
【図１】本発明を実施する形態の一例を示す平面図である。
【図２】図１のＩＩ−ＩＩ矢視の側面図である。
【図３】図１のＩＩＩ−ＩＩＩ矢視の背面図である。
【図４】図１のＩＶ−ＩＶ矢視の断面図である。
【図５】図１のＶ−Ｖ矢視の断面図である。
【図６】図２のＶＩ−ＶＩ矢視の断面図である。
【図７】図６のＶＩＩ−ＶＩＩ矢視の断面図である。
【図８】単段ターミナル配列のコネクタの一例を示す斜視図である。
【図９】二段ターミナル配列のコネクタの一例を示す斜視図である。
【図１０】図６の第一のコネクタ保持部に単段ターミナル配列のコネクタを嵌合した状態を示す断面図である。
【図１１】図１０のＸＩ−ＸＩ矢視の断面図である。
【図１２】図６の第二のコネクタ保持部に二段ターミナル配列のコネクタを嵌合した状態を示す断面図である。
【図１３】図１２のＸＩＩＩ−ＸＩＩＩ矢視の断面図である。
【符号の説明】
３          スイッチ用オープニングカバー（ベースプレート）
４          コネクタホルダ
６          単段ターミナル配列のコネクタ
６’        ワイヤハーネス
７          第一のコネクタ保持部
８          二段ターミナル配列のコネクタ
８’        ワイヤハーネス
９          第二のコネクタ保持部
１１          突条（左右規制部）
１３          スリット（左右規制部）
１４          掛止爪
１５          係合孔
１７          突条（左右規制部）
１９          掛止爪
２２          係合孔
【図１】
0003802705.tif 000002
【図２】
0003802705.tif 000003
【図３】
0003802705.tif 000004
【図４】
0003802705.tif 000005
【図５】
0003802705.tif 000006
【図６】
0003802705.tif 000007
【図７】
0003802705.tif 000008
【図８】
0003802705.tif 000009
【図９】
0003802705.tif 000010
【図１０】
0003802705.tif 000011
【図１１】
0003802705.tif 000012
【図１２】
0003802705.tif 000013
【図１３】
0003802705.tif 000014